(57)【要約】【課題】測定結果ホールドスイッチの操作時に、測定結果の表示替えが規制された状態と、表示替えが許容された状態とのいずれに切り替えられたのかを正確かつ容易に認識させる。【解決手段】測定部と、測定部の測定結果を表示する表示部と、測定結果ホールドスイッチを有する操作部と、測定部を制御して物理量を測定させると共に表示部を制御して測定結果を表示させ、かつ測定結果ホールドスイッチが操作される度に、測定結果の表示替えを規制する規制状態および表示替えの規制を解除して新たな測定結果への表示替えを許容する許容状態のいずれかに測定結果の表示態様を交互に切り替える制御部とを備え、制御部は、時点ｔ１に測定結果ホールドスイッチが操作されて規制状態に切り替えたときに、規制状態に対応付けられた第１の音信号（連続する２つの短音）と、規制状態に対応付けられた第１の振動信号（連続する２回の振動）とを出力する。【選択図】図３
2013228292.tif 000002
【特許請求の範囲】
【請求項１】
物理量を測定する測定部と、前記測定部の測定結果を表示する表示部と、測定結果ホールドスイッチを有する操作部と、前記測定部を制御して前記物理量を測定させると共に前記表示部を制御して前記測定結果を表示させ、かつ前記測定結果ホールドスイッチが操作される度に、前記測定結果の表示替えを規制する規制状態および当該表示替えの規制を解除して新たな前記測定結果への表示替えを許容する許容状態のいずれかに当該測定結果の表示態様を交互に切り替える制御部とを備えた測定装置であって、
前記制御部は、前記規制状態に切り替えたときに、当該規制状態に対応付けられた第１の音信号と、当該規制状態に対応付けられた第１の振動信号との少なくとも一方を出力する測定装置。
【請求項２】
前記制御部は、前記規制状態に切り替えたときに、少なくとも前記第１の音信号を出力すると共に、前記許容状態に切り替えたときに、当該許容状態に対応付けられて、出力回数、音程、出力時間および音量のうちの少なくとも１つが前記第１の音信号とは相違する第２の音信号を出力する請求項１記載の測定装置。
【請求項３】
前記制御部は、前記規制状態に切り替えたときに、少なくとも前記第１の振動号を出力すると共に、前記許容状態に切り替えたときに、当該許容状態に対応付けられて、出力回数、周期、出力時間および強さのうちの少なくとも１つが前記第１の振動信号とは相違する第２の振動信号を出力する請求項１または２記載の測定装置。
【請求項４】
前記制御部は、前記規制状態に切り替えてから前記許容状態に切り替えるまで当該規制状態に対応付けられた点滅光信号を出力する請求項１から３のいずれかに記載の測定装置。
【請求項５】
物理量を測定する測定部と、前記測定部の測定結果を表示する表示部と、測定結果ホールドスイッチを有する操作部と、前記測定部を制御して前記物理量を測定させると共に前記表示部を制御して前記測定結果を表示させ、かつ前記測定結果ホールドスイッチが操作される度に、前記測定結果の表示替えを規制する規制状態および当該表示替えの規制を解除して新たな前記測定結果への表示替えを許容する許容状態のいずれかに当該測定結果の表示態様を交互に切り替える制御部とを備えた測定装置であって、
前記制御部は、前記規制状態に切り替えてから前記許容状態に切り替えるまで当該規制状態に対応付けられた点滅光信号を出力する測定装置。
【請求項６】
前記操作部は、前記測定結果ホールドスイッチの操作ボタンを点灯させる光源を備えて構成され、
前記制御部は、前記操作部の前記光源を点滅させることで前記点滅光信号を出力する請求項４また５記載の測定装置。
【請求項７】
前記制御部は、光量が徐々に増加する状態と光量が徐々に低下する状態とが交互に生じる点滅光を前記点滅光信号として出力する請求項４から６のいずれかに記載の測定装置。
【発明の詳細な説明】
【技術分野】
【０００１】
本発明は、測定結果ホールドスイッチの操作による測定結果の表示替え規制が可能な測定装置に関するものである。
【背景技術】
【０００２】
この種の測定装置として、特開平６−２３５７３５号公報にデジタルクランプテスタ（以下、単に「クランプテスタ」ともいう）が開示されている。このクランプテスタは、クランプＣＴ部を介して、直流電流、交流電流、または周波数等の第１の測定要素を測定し、かつ、入力端子に接続されたリード線を介して、直流電圧、交流電圧、周波数、抵抗値、または温度等の第２の測定要素を測定すると共に、両測定要素についての測定結果（測定値）を表示部に表示させることができるように構成されている。また、このクランプテスタは、表示部に表示されている測定結果（測定値）を一時的にホールドする（測定結果の表示替えを規制する）データホールド機能などが付与される機能キー（以下、「データホールド機能が付与された機能キー」を「ホールドキー」ともいう）を備えている。
【０００３】
このクランプテスタを使用して、例えば、自動車のエンジン始動時にバッテリからセルモータに供給される電流とバッテリの端子間電圧とを測定する際には、まず、電源スイッチ／測定モード切り替えスイッチを操作して直流電流・電圧測定モードを選択する。次いで、コモン端子とバッテリのマイナス端子とをリード線によって相互に接続すると共に、電圧入力端子とバッテリのプラス端子とを他のリード線によって相互に接続する。続いて、バッテリのプラス端子とセルモータとを接続している電路をクランプＣＴ部によってクランプする。この状態において、自動車のセルモータスイッチがオン操作されると、バッテリのプラス端子からセルモータに向かって流れる電流の電流値と、バッテリの両端子間電圧とがそれぞれ測定されて測定結果（測定値）が表示部に表示される。
【０００４】
この際に、例えば、表示されている測定結果（測定値）が小刻みにふらついて読み取りが困難なときや、クランプＣＴ部によって電路をクランプした状態において測定結果の読み取りが困難なときには、ホールドキーを操作する。この際には、測定結果の表示替えが規制されて（測定値がホールドされて）、ホールドキーの操作時に表示部に表示されている測定結果が継続的に表示された状態となる。これにより、クランプＣＴ部による電路のクランプを解除した状態においても、測定結果を読み取ることが可能となる。
【先行技術文献】
【特許文献】
【０００５】
【特許文献１】特開平６−２３５７３５号公報（第２−４頁、第１−４図）
【発明の概要】
【発明が解決しようとする課題】
【０００６】
ところが、従来のクランプテスタには、以下の問題点が存在する。すなわち、従来のクランプテスタでは、ホールドキーを操作することによって表示部に表示されている測定結果の表示替えが規制されて、ホールドキーの操作時に表示されている測定結果が継続的に表示されるように構成されている。しかしながら、従来のクランプテスタでは、例えば、エンジンルームの奥深くに存在する配線などをクランプした状態においてホールドキーを操作し辛いことがあり、ホールドキーを操作して測定結果の表示替えを規制したつもりが、実際には、ホールドキーが操作されずに測定結果が表示替えされてしまうことがある。このため、上記のような使用例において、例えば、クランプＣＴ部によってクランプした電路（配線）を電流が流れていないときには、ホールドキーの操作によって表示替えが規制されて「０」との測定結果が表示されている状態、ホールドキーの操作が正常に行われずに（表示替えが規制されずに）クランプを解除したことで「０」との測定結果が表示されている状態、およびホールドキーの２度の操作によって表示替えの規制が解除された状態でクランプを解除したことで「０」との測定結果が表示されている状態のいずれの状態であるのかを特定することができないという問題点が存在する。
【０００７】
本発明は、かかる問題点に鑑みてなされたものであり、測定結果ホールドスイッチの操作時に、測定結果の表示替えが規制された状態と、表示替えが許容された状態とのいずれの状態に切り替えられたのかを正確かつ容易に認識させ得る測定装置を提供することを主目的とする。
【課題を解決するための手段】
【０００８】
上記目的を達成すべく請求項１記載の測定装置は、物理量を測定する測定部と、前記測定部の測定結果を表示する表示部と、測定結果ホールドスイッチを有する操作部と、前記測定部を制御して前記物理量を測定させると共に前記表示部を制御して前記測定結果を表示させ、かつ前記測定結果ホールドスイッチが操作される度に、前記測定結果の表示替えを規制する規制状態および当該表示替えの規制を解除して新たな前記測定結果への表示替えを許容する許容状態のいずれかに当該測定結果の表示態様を交互に切り替える制御部とを備えた測定装置であって、前記制御部は、前記規制状態に切り替えたときに、当該規制状態に対応付けられた第１の音信号と、当該規制状態に対応付けられた第１の振動信号との少なくとも一方を出力する。
【０００９】
また、請求項２記載の測定装置は、請求項１記載の測定装置において、前記制御部は、前記規制状態に切り替えたときに、少なくとも前記第１の音信号を出力すると共に、前記許容状態に切り替えたときに、当該許容状態に対応付けられて、出力回数、音程、出力時間および音量のうちの少なくとも１つが前記第１の音信号とは相違する第２の音信号を出力する。
【００１０】
また、請求項３記載の測定装置は、請求項１または２記載の測定装置において、前記制御部は、前記規制状態に切り替えたときに、少なくとも前記第１の振動号を出力すると共に、前記許容状態に切り替えたときに、当該許容状態に対応付けられて、出力回数、周期、出力時間および強さのうちの少なくとも１つが前記第１の振動信号とは相違する第２の振動信号を出力する。
【００１１】
さらに、請求項４記載の測定装置は、請求項１から３のいずれかに記載の測定装置において、前記制御部は、前記規制状態に切り替えてから前記許容状態に切り替えるまで当該規制状態に対応付けられた点滅光信号を出力する。
【００１２】
また、請求項５記載の測定装置は、物理量を測定する測定部と、前記測定部の測定結果を表示する表示部と、測定結果ホールドスイッチを有する操作部と、前記測定部を制御して前記物理量を測定させると共に前記表示部を制御して前記測定結果を表示させ、かつ前記測定結果ホールドスイッチが操作される度に、前記測定結果の表示替えを規制する規制状態および当該表示替えの規制を解除して新たな前記測定結果への表示替えを許容する許容状態のいずれかに当該測定結果の表示態様を交互に切り替える制御部とを備えた測定装置であって、前記制御部は、前記規制状態に切り替えてから前記許容状態に切り替えるまで当該規制状態に対応付けられた点滅光信号を出力する。
【００１３】
さらに、請求項６記載の測定装置は、請求項４または５記載の測定装置において、前記操作部は、前記測定結果ホールドスイッチの操作ボタンを点灯させる光源を備えて構成され、前記制御部は、前記操作部の前記光源を点滅させることで前記点滅光信号を出力する。
【００１４】
また、請求項７記載の測定装置は、請求項４から６のいずれかに記載の測定装置において、前記制御部は、光量が徐々に増加する状態と光量が徐々に低下する状態とが交互に生じる点滅光を前記点滅光信号として出力する。
【発明の効果】
【００１５】
請求項１記載の測定装置によれば、表示部に表示させた測定結果の表示替えを規制する規制状態に切り替えたときに、第１の音信号と第１の振動信号との少なくとも一方を出力することにより、測定結果ホールドスイッチの操作時に、表示部に表示されている測定結果の表示替えが正常に規制されたか否かを視認し辛い使用環境下においても、第１の音信号および第１の振動信号のいずれかに基づき、表示態様が規制状態に切り替わっていることを利用者に対して確実かつ容易に認識させることができる。これにより、規制状態に切り替わっているにも拘わらず測定結果ホールドスイッチが再び操作されて許容状態に切り替わる不都合や、測定結果ホールドスイッチを操作したつもりが、実際には測定結果ホールドスイッチが操作されていないことで許容状態のままとなっているという不都合が生じるのを好適に回避することができ、表示替えが規制された状態の測定結果を確実かつ容易に読み取ることができる。
【００１６】
また、請求項２記載の測定装置では、表示部に表示させた測定結果の表示替えを許容する許容状態に切り替えたときに、第１の音信号とは相違する第２の音信号を出力する。また、請求項３記載の測定装置では、表示部に表示させた測定結果の表示替えを許容する許容状態に切り替えたときに、第１の振動信号とは相違する第２の振動信号を出力する。したがって、請求項２，３記載の測定装置によれば、規制状態に切り替わっているにも拘わらず再び測定結果ホールドスイッチが操作されて許容状態に切り替えたときに、利用者に対して、その旨を確実かつ容易に認識させることができる。
【００１７】
さらに、請求項４記載の測定装置、および請求項５記載の測定装置によれば、規制状態に切り替えてから許容状態に切り替えるまで点滅光信号を出力することにより、測定結果ホールドスイッチの操作時に、表示部に表示されている測定結果の表示替えが正常に規制されたか否かを視認し辛い使用環境下においても、点滅光信号に基づき、表示態様が規制状態に切り替わっていることを利用者に対して確実かつ容易に認識させることができる。これにより、規制状態に切り替わっているにも拘わらず再び測定結果ホールドスイッチが操作されて許容状態に切り替わるという不都合や、測定結果ホールドスイッチを操作したつもりが、実際には測定結果ホールドスイッチが操作されていないことで許容状態のままとなっているという不都合が生じるのを好適に回避することができ、表示替えが規制された状態の測定結果を確実かつ容易に読み取ることができる。
【００１８】
また、請求項６記載の測定装置によれば、操作部の光源を点滅させることで測定結果ホールドスイッチの操作ボタンを点灯させて点滅光信号を出力することにより、例えば、測定結果ホールドスイッチの操作ボタンとは別個に設けられたインジケータ等を点滅させる構成と比較して、この種の測定装置の操作に不慣れな利用者に対しても、測定結果ホールドスイッチに対するスイッチ操作が正常に受け付けられたか否かを確実かつ容易に認識させることができる。
【００１９】
さらに、請求項７記載の測定装置によれば、光量が徐々に増加する状態と光量が徐々に低下する状態とが交互に生じる点滅光を点滅光信号として出力することにより、例えば、点滅光信号を出力するための光源を点灯状態および非点灯状態（消灯状態）に交互に制御して単に点滅させることで出力される点滅光信号によって報知する構成とは異なり、危険な状態であるとの警告や測定装置が故障しているとの警告が発せられていると誤認される事態を招くことなく、光量が緩やかに変化する趣向性の高い点滅光信号によって規制状態および許容状態のいずれに切り替えられているのかを確実に認識させることができると共に、測定装置の商品的価値を十分に高めることができる。
【図面の簡単な説明】
【００２０】
【図１】クランプメータ１の構成図である。
【図２】クランプメータ１の正面図である。
【図３】クランプメータ１における音信号、振動信号および光信号の出力態様について説明するための説明図である。
【図４】クランプメータ１における音信号、振動信号および光信号の他の出力態様について説明するための説明図である。
【発明を実施するための形態】
【００２１】
以下、測定装置の実施の形態について、添付図面を参照して説明する。
【００２２】
図１に示すクランプメータ１は、「測定装置」の一例である電流測定装置であって、測定対象の一例である導線Ｘ等を流れる電流の電流値（「物理量（電気的パラメータ）」の一例）を導線Ｘに対して非接触で測定可能に構成されている。また、このクランプメータ１は、クランプ部２および本体部３を備えて構成されている。
【００２３】
クランプ部２は、図２に示すように、平面視略半円状に形成された一対のセンサ２ａ，２ａ（コイル部）を備えて構成されている。この場合、クランプ部２は、開閉レバー２ｂを開閉操作することによって両センサ２ａ，２ａの先端部同士および基端部同士を互いに接離させることができるように構成されている。また、クランプ部２は、両センサ２ａ，２ａの先端部同士および基端部同士を互いに当接させた閉状態において環状をなすように構成されて、導線Ｘを取り囲んで環状をなした状態（導線Ｘをクランプした状態）において導線Ｘに流れる電流の電流値に対応するセンサ信号を出力可能に構成されている。本体部３は、図１に示すように、測定部１１、操作部１２、表示部１３、スピーカ１４、バイブレータ１５、制御部１６および記憶部１７を備えて構成されている。
【００２４】
測定部１１は、クランプ部２における上記のセンサ２ａ，２ａ（コイル部）の巻線がそれぞれ接続されると共に、制御部１６の制御に従い、導線Ｘを流れる電流に起因して両コイル部の巻線に生じる誘導電流を測定することにより、導線Ｘを流れる電流の電流値を測定する。操作部１２は、測定条件を設定するための操作スイッチや、後述するように、表示部１３に表示されている測定結果（本例では、電流値）の表示替えを規制／許容するためのホールドスイッチ２１（図２参照：「測定結果ホールドスイッチ」の一例）などを備え、スイッチ操作に応じた操作信号Ｓ１を制御部１６に出力する。この場合、本例のクランプメータ１では、一例として、操作部１２の各操作スイッチにおける操作ボタンが光透過性を有する樹脂材料で形成されると共に、各操作スイッチ毎にＬＥＤ１２ａ（「光源」の一例）がそれぞれ配設されており、制御部１６の制御下で各ＬＥＤ１２ａがそれぞれ点灯させられることで各操作スイッチの操作ボタンが点灯しているように見える構成が採用されている。
【００２５】
表示部１３は、一例としてバックライト付きのＬＣＤパネルを備えて構成され、制御部１６の制御に従い、設定された測定条件を示すマークや測定部１１による測定結果などを表示する。スピーカ１４は、制御部１６の制御に従って各種の電子音（音信号）を出力する。バイブレータ１５は、モータ、およびモータの回転軸に偏心した状態で取り付けられたウェイトを備え、制御部１６の制御下でモータが回転させられることによって回転速度に応じた周期で振動する（「振動信号」の出力）。
【００２６】
制御部１６は、クランプメータ１を総括的に制御する。具体的には、制御部１６は、測定部１１による電流値の測定処理を制御すると共に、表示部１３に制御信号Ｓ３を出力することによって測定部１１の測定結果を表示させる。また、制御部１６は、操作部１２のホールドスイッチ２１が操作される度に（操作部１２からホールドスイッチ２１の操作に対応する操作信号Ｓ１が出力される度に）、表示部１３に表示させている測定結果の表示替えを規制する規制状態（ホールド状態）、および表示替えの規制を解除して新たな測定結果への表示替えを許容する許容状態（非ホールド状態）のいずれかに測定結果の表示態様を交互に切り替える。
【００２７】
さらに、制御部１６は、規制状態に切り替えたとき、および許容状態に切り替えたときに、スピーカ１４に制御信号Ｓ４を制御することによって規定された電子音（音信号）を出力させると共に、バイブレータ１５に制御信号Ｓ５を出力することによって予め規定された振動信号を出力させる。また、制御部１６は、操作部１２に制御信号Ｓ２を出力することにより、規制状態に切り替えてから許容状態に切り替えるまでホールドスイッチ２１に対応して配設されているＬＥＤ１２ａを点滅させて点滅光信号を出力させる。なお、音信号、振動信号および点滅光信号については、後に詳細に説明する。記憶部１７は、制御部１６の動作プログラムや測定部１１による測定結果などを記憶する。
【００２８】
このクランプメータ１を用いて導線Ｘを流れる電流の電流値を測定する際には、まず、クランプ部２によって導線Ｘをクランプする。具体的には、まず、開閉レバー２ｂを操作することによってクランプ部２を開状態にすると共に、両センサ２ａ，２ａの先端部間に形成された隙間を通して導線Ｘを両センサ２ａ，２ａの間に位置させ、その状態において開閉レバー２ｂの操作を停止する。この際には、図示しないバネの付勢力によって両センサ２ａ，２ａが閉状態に移行して両センサ２ａ，２ａの先端部同士および基端部同士が互いに当接した状態となる。これにより、クランプ部２による導線Ｘのクランプが完了し、導線Ｘの周囲に、両センサ２ａ，２ａにおける磁気コアおよび巻線からなる環状の電流検出用センサが形成される。
【００２９】
次いで、制御部１６は、操作部１２からの操作信号Ｓ１に基づき、スタート／ストップスイッチが操作されたと判別したきに、測定部１１を制御して、導線Ｘを流れる電流の測定処理を開始させる。この際に、測定部１１は、両センサ２ａ，２ａから出力されるセンサ信号に基づいて、導線Ｘを流れる電流の電流値を測定する。具体的には、測定部１１は、導線Ｘを流れる電流に起因して両センサ２ａ，２ａ（両コイル部）の巻線に生じる誘導電流を測定すると共に、その測定結果に基づき、導線Ｘを流れる電流の電流値を測定して、測定結果を制御部１６に出力する。一方、制御部１６は、表示部１３に制御信号Ｓ３を出力することにより、測定部１１から出力された測定結果（この例では、電流値）を表示させる。
【００３０】
この場合、本例のクランプメータ１では、上記のスタート／ストップスイッチを最初に操作してから、このスタート／ストップスイッチが再び操作されるまで測定部１１による電流値の測定処理が所定の時間間隔で繰り返して実行されると共に、測定部１１による測定処理が実行される都度、測定部１１から出力される新たな測定結果で表示部１３に表示されている測定結果が更新される構成が採用されている（「測定結果の表示替え」が許容されている状態）。
【００３１】
一方、例えば、クランプ部２によって導線Ｘをクランプしている状態において表示部１３に表示される測定結果を視認し辛いときには、操作部１２のホールドスイッチ２１を操作した後に、クランプ部２による導線Ｘのクランプを解除して、測定結果を見易い場所にクランプメータ１を移動させる。この際に、制御部１６は、操作部１２（ホールドスイッチ２１）からの操作信号Ｓ１に基づき、測定結果の表示替えを規制する規制状態への切り替えを指示されたと判別して、表示部１３に制御信号Ｓ３を出力することにより、ホールドスイッチ２１の操作時点（ホールドスイッチ２１の操作に伴う操作信号Ｓ１が出力された時点）において表示されている測定結果の表示替えを規制する（「規制状態に切り替えたとき」との状態の一例）。
【００３２】
この場合、図３に示すように、制御部１６は、「規制状態」に切り替えた時点ｔ１において、スピーカ１４に制御信号Ｓ４を出力することにより、連続する２つの短音（「規制状態に対応付けられた第１の音信号」の一例）を出力させる。また、制御部１６は、上記の時点ｔ１において、バイブレータ１５に制御信号Ｓ５を出力することにより、連続して２回振動させることで振動信号（「規制状態に対応付けられた第１の振動信号」の一例）を出力させる。
【００３３】
さらに、制御部１６は、操作部１２に制御信号Ｓ２を出力することにより、「規制状態」に切り替えた上記の時点ｔ１から、後述するようにホールドスイッチ２１が再び操作されて「許容状態」に切り替える時点ｔ２までホールドスイッチ２１に対応して配設されているＬＥＤ１２ａを予め規定された周期で点滅させることで点滅光信号（「規制状態に対応付けられた点滅光信号」の一例）を出力させる。この場合、本例のクランプメータ１では、同図に示すように、光量が徐々に増加する状態と光量が徐々に低下する状態とが交互に生じる点滅光を「点滅光信号」として出力する構成が採用されている。
【００３４】
これにより、スピーカ１４から出力された音信号、バイブレータ１５から出力された振動信号、および操作部１２（ホールドスイッチ２１のＬＥＤ１２ａ）から出力された点滅光信号のうちの少なくとも１つを認識した利用者は、測定結果の表示態様が「規制状態」に切り替えらたことを認識する。したがって、利用者は、開閉レバー２ｂを操作してクランプ部２による導線Ｘのクランプを解除した後に、表示部１３を視認し易い場所までクランプメータ１を移動させて測定結果（この例では、電流値）を読み取る。
【００３５】
この際に、このクランプメータ１では、ホールドスイッチ２１が操作された時点ｔ１からホールドスイッチ２１が再び操作される時点ｔ２まで、操作部１２（ホールドスイッチ２１に対応するＬＥＤ１２ａ）から点滅光信号が継続的に出力される。また、このクランプメータ１では、制御部１６が、表示部１３に制御信号Ｓ３を出力することにより、上記の時点ｔ１から時点ｔ２まで「ＨＯＬＤ」とのマークを表示させる構成が採用されている。したがって、利用者は、この点滅光信号の出力、および「ＨＯＬＤ」とのマークの表示により、表示部１３に表示されている測定結果が、ホールドスイッチ２１の操作時点において測定部１１によって測定された測定結果であることを認識する。
【００３６】
一方、上記の例において、例えば、スピーカ１４からの音信号、バイブレータ１５からの振動信号、および操作部１２（ホールドスイッチ２１のＬＥＤ１２ａ）からの点滅光信号を認識することができずに、ホールドスイッチ２１を再び操作してしまったとき（「規制状態」に切り替わったにも拘わらず、その旨を認識することができずにホールドスイッチ２１を再び操作してしまったとき）には、制御部１６は、操作部１２（ホールドスイッチ２１）からの操作信号Ｓ１に基づき、測定結果の表示替えを許容する許容状態への切り替えを指示されたと判別し、表示部１３に制御信号Ｓ３を出力することにより、ホールドスイッチ２１の操作時点（ホールドスイッチ２１の操作に伴う操作信号Ｓ１が出力された時点）において表示されている測定結果の表示替えを許容して、新たな測定結果への更新を許容する（「許容状態に切り替えたとき」との状態の一例）。
【００３７】
この場合、図３に示すように、制御部１６は、「許容状態」に切り替えた時点ｔ２において、スピーカ１４に制御信号Ｓ４を出力することによって１つの短音（「許容状態に対応付けられた第２の音信号」の一例であって、「出力回数」が「第１の音信号」とは相違する例）を出力させる。また、制御部１６は、上記の時点ｔ２において、バイブレータ１５に制御信号Ｓ５を出力することによって１回振動させることで振動信号（「許容状態に対応付けられた第２の振動信号」の一例であって、「出力回数」が「第１の振動号」とは相違する例）を出力させる。さらに、制御部１６は、操作部１２に制御信号Ｓ２を出力することにより、ホールドスイッチ２１に対応して配設されているＬＥＤ１２ａの点滅を停止させる（「点滅光信号」の出力の停止）。
【００３８】
これにより、スピーカ１４から出力された音信号、バイブレータ１５から出力された振動信号、および操作部１２（ホールドスイッチ２１のＬＥＤ１２ａ）からの点滅光信号の出力停止のうちの少なくとも１つを認識した利用者は、測定結果の表示態様が「許容状態」に切り替えられたこと（ホールドスイッチ２１を誤って２回操作してしまったこと）を認識する。したがって、利用者は、ホールドスイッチ２１を再び操作して、測定結果の表示態様を「規制状態」に切り替える。
【００３９】
また、このクランプメータ１では、「許容状態」においてホールドスイッチ２１が操作された時点ｔ２において、操作部１２（ホールドスイッチ２１に対応するＬＥＤ１２ａ）からの点滅光信号の出力が停止される。さらに、このクランプメータ１では、制御部１６が、表示部１３に制御信号Ｓ３を出力することにより、上記の時点ｔ２において「ＨＯＬＤ」とのマークの表示を終了させる。したがって、例えば、スピーカ１４からの音信号、バイブレータ１５からの振動信号、および操作部１２（ホールドスイッチ２１のＬＥＤ１２ａ）から点滅光信号の出力停止を認識することができず、誤って、クランプ部２による導線Ｘのクランプを解除してしまったとしても、利用者は、点滅光信号が出力されていないこと、および「ＨＯＬＤ」とのマークが表示されていないことに基づき、測定結果の表示替えを許容する許容状態に切り替えられていると認識して、上記の一連の測定作業を再び実行する。これにより、上記したように、測定結果の表示態様を「規制状態」に切り替えた状態において、その値を確実かつ容易に読み取ることが可能となる。
【００４０】
この場合、出願人は、従来のクランプテスタに存在する問題点を解決すべく、ホールドスイッチを操作する都度、電子音（一例として、出力回数、音程、出力時間および音量が同じ電子音）が出力される構成の測定装置（図示せず）を開発した。出願人が開発した測定装置によれば、ホールドスイッチを操作したつもりが、実際には、ホールドスイッチが操作されていないときに電子音が出力されないため、ホールドスイッチが操作されていないことを利用者に認識させることが可能となる。しかしながら、出願人が開発した測定装置では、最初にホールドスイッチを操作したとき（測定結果の表示替えを規制したとき）、および次にホールドスイッチを操作したとき（表示替えの規制を解除したとき）に、同じ電子音が出力されるため、例えば、最初にホールドスイッチを操作したときに出力された電子音が聞こえずに、ホールドスイッチの操作が正常に受け付けられなかったと誤認した利用者が再びホールドスイッチを操作してしまい、この際に出力される電子音によって、実際には、表示替えの規制を解除する操作を行ったにも拘わらず、表示替えを規制する操作が正常に受け付けられたと誤認するおそれがある。
【００４１】
これに対して、本例のクランプメータ１では、上記したように、最初にホールドスイッチ２１を操作したとき（測定結果の表示替えを規制したとき）に連続する２つの短音が出力され、次にホールドスイッチ２１を操作したとき（表示替えの規制を解除したとき）に、１つの短音が出力される。したがって、連続する２つの短音が聞こえたときには、測定結果の表示態様が「規制状態」に切り替えられたと認識し、かつ、１つの短音が聞こえたときには、測定結果の表示態様が「許容状態」に切り替えられたと認識することが可能となっている。また、本例のクランプメータ１では、「音信号」を聞き取ることができなかったとしても、連続して２回振動したのを感じたときには、測定結果の表示態様が「規制状態」に切り替えられたと認識し、かつ、振動が１回だけのときには、測定結果の表示態様が「許容状態」に切り替えられたと認識することが可能となっている。さらに、本例のクランプメータ１では、「音信号」を聞き逃し、かつ「振動信号」も感じ取ることができなかったとしても、ホールドスイッチ２１（ＬＥＤ１２ａ）から点滅信号が出力されているか否かに基づいて測定結果の表示態様が「規制状態」および「許容状態」のいずれに切り替えられているかを認識することが可能となっている。
【００４２】
このように、このクランプメータ１によれば、表示部１３に表示させた測定結果の表示替えを規制する規制状態に切り替えたときに、「第１の音信号」と「第１の振動信号」との少なくとも一方（本例では、双方）を出力することにより、ホールドスイッチ２１の操作時に、表示部１３に表示されている測定結果の表示替えが正常に規制されたか否かを視認し辛い使用環境下においても、「第１の音信号」および「第１の振動信号」のいずれかに基づき、表示態様が「規制状態」に切り替わっていることを利用者に対して確実かつ容易に認識させることができる。これにより、「規制状態」に切り替わっているにも拘わらずホールドスイッチ２１が再び操作されて「許容状態」に切り替わる不都合や、ホールドスイッチ２１を操作したつもりが、実際にはホールドスイッチ２１が操作されていないことで「許容状態」のままとなっているという不都合が生じるのを好適に回避することができ、表示替えが規制された状態の測定結果を確実かつ容易に読み取ることができる。
【００４３】
また、このクランプメータ１によれば、表示部１３に表示させた測定結果の表示替えを許容する許容状態に切り替えたときに、「第１の音信号」とは相違する「第２の音信号」と、「第１の振動信号」とは相違する「第２の振動信号」とを出力することにより、「規制状態」に切り替わっているにも拘わらず再びホールドスイッチ２１が操作されて「許容状態」に切り替えたときに、利用者に対して、その旨を確実かつ容易に認識させることができる。
【００４４】
さらに、このクランプメータ１によれば、規制状態に切り替えてから許容状態に切り替えるまで「点滅光信号」を出力することにより、ホールドスイッチ２１の操作時に、表示部１３に表示されている測定結果の表示替えが正常に規制されたか否かを視認し辛い使用環境下においても、「点滅光信号」に基づき、表示態様が「規制状態」に切り替わっていることを利用者に対して確実かつ容易に認識させることができる。これにより、「規制状態」に切り替わっているにも拘わらず再びホールドスイッチ２１が操作されて「許容状態」に切り替わるという不都合や、ホールドスイッチ２１を操作したつもりが、実際にはホールドスイッチ２１が操作されていないことで「許容状態」のままとなっているという不都合が生じるのを好適に回避することができ、表示替えが規制された状態の測定結果を確実かつ容易に読み取ることができる。
【００４５】
また、このクランプメータ１によれば、操作部１２のＬＥＤ１２ａを点滅させることでホールドスイッチ２１の操作ボタンを点灯させて「点滅光信号」を出力することにより、例えば、ホールドスイッチ２１の操作ボタンとは別個に設けられたインジケータ等を点滅させる構成と比較して、この種の測定装置の操作に不慣れな利用者に対しても、ホールドスイッチ２１に対するスイッチ操作が正常に受け付けられたか否かを確実かつ容易に認識させることができる。
【００４６】
さらに、このクランプメータ１によれば、光量が徐々に増加する状態と光量が徐々に低下する状態とが交互に生じる点滅光を「点滅光信号」として出力することにより、例えば、ＬＥＤ１２ａを点灯状態および非点灯状態（消灯状態）に交互に制御して単に点滅させることで出力される「点滅光信号」によって報知する構成とは異なり、危険な状態であるとの警告やクランプメータ１が故障しているとの警告が発せられていると誤認される事態を招くことなく、光量が緩やかに変化する趣向性の高い「点滅光信号」によって規制状態および許容状態のいずれに切り替えられているのかを確実に認識させることができると共に、クランプメータ１の商品的価値を十分に高めることができる。
【００４７】
なお、「測定装置」の構成は、上記のクランプメータ１の構成に限定されない。例えば、「音信号」、「振動信号」および「点滅光信号」を出力する構成のクランプメータ１を例に挙げて説明したが、「音信号」および「振動信号」を出力せずに「点滅光信号」だけを出力する構成を採用することもできる。このように、構成した「測定装置」においても、前述したクランプメータ１において「点滅光信号」を出力することで奏される効果と同様の効果を奏することができる。
【００４８】
また、「音信号」および「点滅光信号」を出力せずに「振動信号」だけを出力する構成、「振動信号」および「点滅光信号」を出力せずに「音信号」だけを出力する構成、「点滅光信号」を出力せずに「音信号」および「振動信号」だけを出力する構成、「音信号」を出力せずに「振動信号」および「点滅光信号」だけを出力する構成、並びに「振動信号」を出力せずに「音信号」および「点滅光信号」だけを出力する構成を採用することもできる。これらの構成を採用した場合においても、上記のクランプメータ１において対応する信号を出力する構成によって奏される効果と同様の効果を奏することができる。
【００４９】
さらに、許容状態に切り替えたときに、「出力回数」が「第１の音信号」とは相違する「第２の音信号」を出力する構成を例に挙げて説明したが、「第２の音信号」はこれに限定されず、「出力回数」、「音程」、「出力時間」および「音量」のうちの少なくとも１つが「第１の音信号」と相違する各種の音信号を「第２の音信号」として出力する構成を採用することができる。また、許容状態に切り替えたときに、「出力回数」が「第１の振動信号」とは相違する「第２の振動信号」を出力する構成を例に挙げて説明したが、「第２の振動信号」はこれに限定されず、「出力回数」、「周期」、「出力時間」および「強さ（振幅）」のうちの少なくとも１つが「第１の振動信号」と相違する各種の振動信号を「第２の振動信号」として出力する構成を採用することができる。
【００５０】
また、規制状態に切り替えたときに「第１の音信号」を出力すると共に、許容状態に切り替えたときに「第２の音信号」を出力する構成を例に挙げて説明したが、図４に示す例のように、規制状態に切り替えた時点ｔ１から許容状態に切り替える時点ｔ２まで「第１の音信号（この例では、所定の周期で短音が繰り返して出力される信号）」を出力すると共に（「規制状態に切り替えたときに、規制状態に対応付けられた第１の音信号を出力する」との構成の他の一例）、許容状態に切り替えた時点ｔ２において「第１の音信号」の出力を停止する構成を採用することもできる。同様にして、規制状態に切り替えたときに「第１の振動信号」を出力すると共に、許容状態に切り替えたときに「第２の振動信号」を出力する構成を例に挙げて説明したが、図４に示す例のように、規制状態に切り替えた時点ｔ１から許容状態に切り替える時点ｔ２まで「第１の振動信号（この例では、所定の周期で繰り返して振動がすることで出力される信号）」を出力すると共に（「規制状態に切り替えたときに、規制状態に対応付けられた第１の振動信号を出力する」との構成の他の一例）、許容状態に切り替えた時点ｔ２において「第１の振動信号」の出力を停止する構成を採用することもできる。
【００５１】
さらに、規制状態に切り替えた時点ｔ１から許容状態に切り替える時点ｔ２まで点滅光信号を出力する構成を例に挙げて説明したが、図４に示す例のように、規制状態に切り替えた時点ｔ１から許容状態に切り替える時点ｔ２まで出力する点滅光信号（以下、「第１の点滅光信号」ともいう）と、許容状態に切り替えた時点ｔ２から次に規制状態に切り替える時点ｔ１（図示せず）まで出力する点滅光信号（以下、「第２の点滅光信号」ともいう）と相違をさせることで、測定結果の表示態様が規制状態および許容状態のいずれであるかを認識させる構成を採用することもできる。この場合、同図の例では、第１の点滅光信号と第２の点滅光信号とで「点滅の周期」を相違させているが、この「周期」に代えて（または、周期に加えて）、「光量」および「波長」のいずれか少なくとも一方を相違させることで両点滅光信号を区別させることができる。
【００５２】
また、光量が徐々に増加する状態と光量が徐々に低下する状態とが交互に生じる点滅光を点滅光信号として出力する例について説明したが、光量が徐々に増加した後に直ちに低下する点滅光、光量が直ちに増加した後に徐々に低下する点滅光、および光量が高い状態と光量が低い状態とが単に繰り返されるだけの点滅光を点滅光信号として出力する構成を採用することもできる。さらに、ホールドスイッチ２１に対応して設けられているＬＥＤ１２ａを点滅させることで「点滅光信号」を出力する構成を例に挙げて説明したが、ホールドスイッチ２１（ＬＥＤ１２ａ）とは別個に設けたインジケータ（図示せず）を点滅させたり、表示部１３のバックライトを点滅させたりすることで「点滅光信号」を出力する構成を採用することもできる。
【００５３】
また、「物理量」としての電流値を測定する構成のクランプメータ１を例に挙げて説明したが、これに代えて（または、これに加えて）、電圧値、抵抗値、位相、温度、湿度、輝度（光度）および照度等の各種の「物理量」を測定する測定装置において、「音信号」、「振動信号」および「点滅光信号」のうちの少なくとも１つを出力する構成を採用することができる。さらに、「測定装置」は、クランプメータ１のようなクランプ式の測定装置に限定されず、測定結果ホールドスイッチの操作によって測定結果の表示替えを規制可能に構成された各種測定装置において「音信号」、「振動信号」および「点滅光信号」のうちの少なくとも１つを出力する構成を採用することができる。
【符号の説明】
【００５４】
１  クランプメータ
１１  測定部
１２  操作部
１２ａ  ＬＥＤ
１３  表示部
１４  スピーカ
１５  バイブレータ
１６  制御部
２１  ホールドスイッチ
ｔ１，ｔ２  時点
Ｓ１  操作信号
Ｓ２〜Ｓ５  制御信号
Ｘ  導線
【図１】
2013228292.tif 000003
【図２】
2013228292.tif 000004
【図３】
2013228292.tif 000005
【図４】
2013228292.tif 000006